(57)【要約】【課題】ＯＰＧＷ線等の電線のジャンパ部分を引き込むにあたり、鉄塔の構造部材に対する電線の固定位置を上下左右などの自由な位置に設定可能で、電線の引き込みの際の角度を大きくつけて把持できる電線ガイド金具を提供する。【解決手段】断面Ｌ形状をなすＬ形構造部材８０に取り付けられて、架設される電線ｄ１を把持して案内するための電線ガイド金具ＤＧ１であって、電線ガイド金具ＤＧ１は、短ボルト体１０、長ボルト体２０、２体のフック１２,２２、複数の締め付けナット１４,２４、連結板３０、電線クランプ４０を備え、長ボルト体２０の延長部２０ｂには、電線クランプ４０を有する連結板３０が配設され、連結板３０を長ボルト体２０の延長部２０ｂ上の自在な位置に配置するための位置設定手段を備える。【選択図】      図１
2009124790.tif 000002
【特許請求の範囲】
【請求項１】
断面Ｌ形状をなすＬ形構造部材に取り付けられて、架設される電線を把持して案内するための電線ガイド金具であって、
前記電線ガイド金具は、短ボルト体、長ボルト体、２体のフック、複数の締め付けナット、連結板、電線クランプを備え、
前記短ボルト体と長ボルト体とは、一方のボルト体が他方のボルト体を貫通する穴部を介してＬ字形状に組み合わされて、前記Ｌ形構造部材の背面に添って配置され、
前記短ボルト体は、前記長ボルト体の側面と前記短ボルト体にはめられた第１フックとの間に、前記Ｌ形構造部材の片方の部位を配置して、前記短ボルト体にはめられた締め付けナットによって前記第１フックを締め付けて、前記Ｌ形構造部材を挟持し、
前記長ボルト体は、部材挟持部とボルト長手方向に延びる延長部とを有し、
前記部材挟持部において、前記短ボルト体の側面と前記長ボルト体にはめられた第２フックとの間に、前記Ｌ形構造部材の他方の部位を配置して、前記長ボルト体にはめられた締め付けナットによって、前記第２フックまたは前記短ボルト体を締め付けて、前記Ｌ形構造部材を挟持し、
前記長ボルト体の延長部には、前記電線クランプを有する前記連結板が配設され、
前記連結板を前記長ボルト体の延長部上の自在な位置に配置するための位置設定手段を備える、ことを特徴とする電線ガイド金具。
【請求項２】
請求項１に記載の電線ガイド金具において、
前記連結板には、前記長ボルト体に対して角度を設けるための屈折部または湾曲部が設けられる、ことを特徴とする電線ガイド金具。
【請求項３】
請求項１に記載の電線ガイド金具において、
前記連結板は長尺の平板形状をなして、前記電線クランプを前記連結板上の自在な位置に配置するために、細長い穴部が設けられる、ことを特徴とする電線ガイド金具。
【請求項４】
請求項１に記載の電線ガイド金具において、
前記連結板は、長尺の平板形状をなして、取り付け金具を介して前記長ボルト体の延長部上に取り付けられ、
前記取り付け金具を前記連結板上の自在な位置に配置するために、前記連結板上に細長い穴部が設けられる、ことを特徴とする電線ガイド金具。
【請求項５】
請求項１〜４いずれかに記載の電線ガイド金具において、
前記連結板は、点対称な構造に形成される、ことを特徴とする電線ガイド金具。
【発明の詳細な説明】
【技術分野】
【０００１】
本発明は、送電線用の鉄塔などの構造部材に取り付けられて、電線を把持して案内するための電線ガイド金具に係り、より詳細には、ＯＰＧＷ等の架空電線のジャンパ線を案内するのに好適な電線ガイド金具に関するものである。
【背景技術】
【０００２】
図３は、電線ガイド金具が設置される鉄塔周りの状況を示す説明図である。ここでのＯＰＧＷ線は、光ファイバを送電線の架空地線の中に組み込んで一体化した光ファイバ複合架空地線のことであり、ｄ２で示す。
ＯＰＧＷ線は、送電線と同様に鉄塔９０を経由して架線されるものであるが、１本の線によって複数個の鉄塔を渡され、その途中にはジャンパ部Ｊ１が設けられ、鉄塔９０に設置されたジョイントボックスＪＢに接続される。
【０００３】
本発明の技術分野に関わる特許文献としては、例えば、次のようなものがある。
【特許文献１】特開平０５−３２８５７５号公報（東京電力、日立電線）
【特許文献２】特開平１１−１６８８２３号公報（日立電線）
【発明の開示】
【発明が解決しようとする課題】
【０００４】
図３において、ＯＰＧＷ線(ｄ２)は電線クランプ(ｃ１,ｃ２)によって引留められて、ＯＰＧＷ線のジャンパ部分(Ｊ１)を引き込む際には、ＯＰＧＷ線用の電線ガイド金具(ＯＰＧＷ用クリート：91,92,93,94,95…)などが用いられる。しかしながら、従来の電線ガイド金具では、鉄塔の構造部材におけるＯＰＧＷ線の固定位置を、上下や左右などの自由な位置に設定して把持することは、不可能であった。そのため、とりわけ、鉄塔上部にあるＯＰＧＷ線のジャンパ部分(Ｊ１)の電線ガイド金具(91,92,93)では、そこで把持される固定部分のＯＰＧＷ線に歪みが生じたり、ガイドされる電線同士が接触したりする、という問題点があった。
【０００５】
本発明の電線ガイド金具は、従来の上記の問題点に鑑みてなされたものであり、ＯＰＧＷ線のジャンパ部分の引き込みにあたり、鉄塔の構造部材に対する電線の固定位置を、上下左右などの自由な位置に設定したり、電線引き込みの際の角度を大きくつけたりして把持することが可能で、固定部分のＯＰＧＷ線の歪みが生じたり、電線同士が接触したりすることがない電線ガイド金具を提供することを目的としている。
【課題を解決するための手段】
【０００６】
本発明の電線ガイド金具では、上記目的を達成するために、次のような手段を用いる。なお、構成要素に付与した符号は図面のそれに一致する。
（１）断面Ｌ形状をなすＬ形構造部材(８０)に取り付けられて、架設される電線(ｄ１)を把持して案内するための電線ガイド金具(ＤＧ１)であって、
電線ガイド金具(ＤＧ１)は、短ボルト体(１０)、長ボルト体(２０)、２体のフック(１２,２２)、複数の締め付けナット(１４,２４)、連結板(３０)、電線クランプ(４０)を備え、
短ボルト体(１０)と長ボルト体(２０)とは、一方のボルト体(１０または２０)が他方のボルト体(２０または１０)を貫通する穴部(１０ａ)を介してＬ字形状に組み合わされて、Ｌ形構造部材(８０)の背面に添って配置され、
短ボルト体(１０)は、長ボルト体(２０)の側面と短ボルト体(１０)にはめられた第１フック(１２)との間に、Ｌ形構造部材(８０)の片方の部位(８１)を配置して、短ボルト体(１０)にはめられた締め付けナット(１４)によって第１フック(１２)を締め付けて、Ｌ形構造部材(８０)を挟持し、
長ボルト体(２０)は、部材挟持部(２０ａ)とボルト長手方向に延びる延長部(２０ｂ)とを有し、
部材挟持部(２０ａ)において、短ボルト体(１０)の側面と長ボルト体(２０)にはめられた第２フック(２２)との間に、Ｌ形構造部材(８０)の他方の部位(８２)を配置して、長ボルト体(２０)にはめられた締め付けナット(２４)によって、第２フック(２２)(図１参照)またはボルト体(１０)を貫通する穴部(１０ａ)(図２参照)を締め付けて、Ｌ形構造部材(８０)を挟持し、
長ボルト体(２０)の延長部(２０ｂ)には、電線クランプ(４０)を有する連結板(３０)が配設され、
本電線ガイド金具(ＤＧ１)は、連結板(３０)を長ボルト体(２０)の延長部(２０ｂ)上の自在な位置に配置するための位置設定手段を備えている。
【０００７】
（２）(１)の電線ガイド金具において、
連結板(３０)には、長ボルト体(２０)に対して角度を設定するための屈折部(３２ａ,３２ｂ)が設けられる。ここでの屈折部は、曲げる際に曲率半径を大きくした湾曲部として構成されてもよい。
（３）(１)の電線ガイド金具において、
連結板(３０)は長尺の平板形状をなして、電線クランプ(４０)を連結板(３０)上の自在な位置に配置するために、連結板(３０)上に細長い穴部(３１ａ)が設けられる。
（４）(１)の電線ガイド金具において、
連結板(３０)は、長尺の平板形状をなして、取り付け金具(５０)を介して長ボルト体(２０)の延長部(２０ｂ)上に取り付けられ、
取り付け金具(５０)を連結板(３０)上の自在な位置に配置するために、連結板(３０)上に細長い穴部が設けられる。
（５）(３)の電線ガイド金具において、
連結板(３０)は、中心点(３０ｃ)に対して点対称な構造に形成される。
【発明の効果】
【０００８】
上記した本発明による電線ガイド金具は、次に示すような格別の効果を奏する。
（１）ＯＰＧＷ線を固定(把持)する高さや左右の位置を、広い範囲で自由に設定して固定することができ、電線の引き込みの際のＲ（半径）を大きく取ることが可能で、複数の電線が交差しても十分な離隔距離が確保できる。
また、ＯＰＧＷ線の内部にはファイバを収納するパイプがあり、そこに発生する歪みを緩和することができる。
なお、従来のキャッシング方式を添え線式キャッシング方式に変更されたとしても、本電線ガイド金具を用いれば、ＯＰＧＷ線を把持することが可能となる。
【０００９】
（２）雨受け、雨よけ等の鉄塔部材としても、どちらにも適用可能な構造であり、水平・垂直どの方向でも固定可能であり、用途に合わせた取り付けが可能となる。
（３）連結板に長穴機構を設けてあり、電線クランプ部をその長穴に配置することにより、連結板とクランプ間の微細な位置調整が可能となった。
（４）連結板を、中心点に対して１８０度回して重なる点対称の構造に形成すると、上下・左右に対称な構造が得られ、上下反転させることにより、鉄塔部材固定部分より下方の位置にも電線が引き込まれることが可能となる。
【発明を実施するための最良の形態】
【００１０】
次に、添付の図面を参照して、本発明による電線ガイド金具の実施の形態について、詳細に説明する。
図１は、本発明による電線ガイド金具の一実施形態として、ＯＰＧＷ線用の電線ガイド金具ＤＧ１の基本的な構成を示す図である。
【００１１】
図１において、本発明による電線ガイド金具ＤＧ１は、断面Ｌ形状をなすＬ形構造部材８０に取り付けられて、架設される電線ｄ１を、電線クランプ４０で把持して案内するための金具である。
この電線ガイド金具ＤＧ１は、短ボルト体１０、長ボルト体２０、短ボルト体１０側にはめられた第１フック１２とその締め付けナット１４、長ボルト体２０側にはめられた第２フック２２とその締め付けナット２４、を備える。
そして、長ボルト体２０の延長部２０ｂには、取り付け金具５０を介して連結板３０が取り付けられ、その連結板３０上の所定箇所には、電線を把持するための電線クランプ４１が設けられている。
【００１２】
Ｌ形構造部材８０に取り付けられる短ボルト体１０と長ボルト体２０とは、一方のボルト体が他方のボルト体を貫通する穴部を介してＬ字形状に組み合わされて、それらがＬ形構造部材８０の背面に添って配設される構造となっている。
図１の電線ガイド金具ＤＧ１では、短ボルト体１０と長ボルト体２０とが、Ｌ形構造部材８０のＬ形頂部に位置する係合部ｋ１において、２本の長短ボルト体が組み合わされる構造であり、短ボルト体１０の一端にある貫通穴部１０ａに長ボルト体２０が挿通され、長ボルト体の頭部２０ｔに到達する位置で、短ボルト体１０の穴部１０ａに係合され、これらの短ボルト体１０と長ボルト体２０とは、Ｌ形構造部材８０の背面の形状に適合したＬ形状をなすようになっている。
【００１３】
短ボルト体１０と長ボルト体２０とを組み合わせることによって、Ｌ形構造部材８０を挟持するにあたり、短ボルト体１０は、長ボルト体２０の側面と短ボルト体１０にはめられた第１フック１２との間に、Ｌ形構造部材８０の片方の部位８１を配置して、短ボルト体１０にはめられた締め付けナット１２によって第１フック１２を締め付けて、Ｌ形構造部材８０を挟持する構成となっており、短ボルト体１０の最端部１０ｔから穴部１０ａの中心までの寸法はＢと設定されている。
【００１４】
長ボルト体２０は、ボルト端部２０ｔ’からボルト頭部２０ｔ下までの長さ寸法Ａを有し、この長さ寸法Ａは、Ｌ形構造部材８０を挟持するための部材挟持部２０ａの寸法ａと、その部材挟持部２０ａからボルト長手方向に延びる延長部２０ｂの寸法ｂと、に区分されている。
この部材挟持部２０ａにおいて、短ボルト体１０の側面と長ボルト体２０にはめられた第２フック２２との間に、Ｌ形構造部材８０の部位８２を配置して、長ボルト体２０にはめられた締め付けナット２４によって第２フック２２を締め付けて、Ｌ形構造部材８０を挟持している。
【００１５】
長ボルト体２０の延長部２０ｂには、取り付け金具５０によって、連結板３０が配設される。取り付け金具５０は、長ボルト体２０より径が大きい挿通穴５０ａをその中心に有し、長ボルト体２０の延長部２０ｂをその内部に貫通させて、延長部２０ｂを自在に移動させることが可能である。
また、長ボルト体２０は、部材挟持部２０ａ−延長部２０ｂを通してネジが切られていて、その前後に設けられた締め付けナット５２と５４とによって、取り付け金具５０は延長部２０ｂ内の所望する位置に締め付け固定される。
なお、長ボルト体２０の最端部には、キャップ２６を取り付けてもよい。
【００１６】
このようにして、電線ガイド金具ＤＧ１では、連結板３０を長ボルト体２０への取り付けるにあたり、長ボルト体２０の延長部２０ｂ上の自在な位置において連結板３０を配置することができる。この連結板３０の移動可能な距離を「ｈ」としたとき、延長部２０ｂの長さは「ｂ」であるので、締め付けナット５２,５４および取り付け金具５０の厚み(長さ)を勘案すれば、この連結板３０の移動する最大距離を「ｈmax」を容易に計算して求めることができる。
【００１７】
本発明の連結板については、長尺な平板形状で曲がりのない一枚ものの板を使っても勿論よいのだが、図１に示される連結板３０では、長ボルト体２０に対して角度αをつけるための「屈折部３２ａと３２ｂ」が２箇所に設けられている。
また、電線クランプ４０を連結板３０上の自在な位置に配置するための連結板３０上に細長い穴部３１ａが設けられている。
さらに、連結板３０は、取り付け金具５０を介して長ボルト体２０の延長部２０ｂ上に取り付けられ、この取り付け金具５０を自在な位置に配置するために、連結板３０上にも細長い穴部３１ｂが設けられる。
【００１８】
以上のような構成によって、図１の電線ガイド金具ＤＧ１は、把持する電線ｄ１の中心からＬ形構造部材８０と頂点８０ｔまでの垂直距離Ｈ１と水平距離Ｈ２を確保することができる。
ここで、垂直距離Ｈ１は、長ボルト体２０の延長部２０ｂ上の連結板３０の移動距離ｈと連結板３０の角度(αとα')付けとによって、水平距離Ｈ２は、長ボルト体２０の延長部２０ｂ上の連結板３０に設けられた２つの細長い穴部(３１ａ,３１ｂ)によって、得られるものであり、いずれも距離も、同類の従来金具に比較して、寸法上での自由度を大きく取ることができる。
【００１９】
そして、図１に示す電線ガイド金具ＤＧ１では、連結板３０は、中心点３０ｃに対して点対称な構造に形成されている。その結果、連結板３０の全体の長さＭ１として、細長い穴部(３１ａ,３１ｂ)の長手方向の幅ｍ１とｍ２とは等しく、長穴(３１ａ,３１ｂ)の中心から中心点(３０ｃ)までの寸法のＭ２とＭ３は等しく、屈折部(３２ａ,３２ｂ)から中心点(３０ｃ)までの寸法のＭ４とＭ５は等しく設計されている。この点対称の構造とすることにより、連結板は中心点に対して１８０度回して重なり、上下または左右に対称な構造が得られるので、上下反転させることにより、鉄塔部材固定部分より下方の位置にも電線を引き込むことが可能となる。
【００２０】
図１の電線ガイド金具ＤＧ１を製作するにあたり、各構成部材の各寸法の「Ａ，Ｂ，ａ，ｂ，ｈ，α，α’，ｔ，Ｍ１，Ｍ２，Ｍ３，Ｍ４，Ｍ５，ｍ１，ｍ２，ｍ３，など」の値は、取り付けられるＬ形構造部材(山形鋼材など)の仕様、短ボルトと長ボルトの仕様や締め付けトルク、把持する電線の仕様や鉄塔上での電線の案内状況などに合わせて、適宜に設計して決定できるものである。
また、Ｌ形構造部材８０は、図１においても次の図２においても、「Ｌ」の位置(時計で９時の位置)にあるものとして説明してきたが、「Ｌ」の位置は３６０度回り自由な角度の配置を取り得るものであるので、本発明による電線ガイド金具についても、その「Ｌ」の位置に合わせた設計ができることは勿論である。
【００２１】
さて、次の図２に示す電線ガイド金具ＤＧ２は、図１の電線ガイド金具ＤＧ１の変形例である。この電線ガイド金具ＤＧ２の各構成部材は、電線ガイド金具ＤＧ１と同じものを用いており、Ｌ形構造部材８０への取り付け方(向き)を変えたものである。
図１の電線ガイド金具ＤＧ１では、短ボルト体１０が左右(水平)方向に、長短ボルト体２０が上下(垂直)方向を向いているが、図２の電線ガイド金具ＤＧ２は、短ボルト体１０が上下(垂直)方向に、長短ボルト体２０が左右(水平)方向を向けて取り付けられている。
【００２２】
図２に示す電線ガイド金具ＤＧ２のＬ形構造部材８０への取り付け方において、図１の電線ガイド金具ＤＧ１と異なる点は、つぎのとおりである。
短ボルト体１０は、長ボルト体２０の側面と短ボルト体１０にはめられた第１フック１２との間に、Ｌ形構造部材８０の片方の部位８２を配置して、短ボルト体１０にはめられた締め付けナット１４によって第１フック１２を締め付けて、Ｌ形構造部材８０を挟持している。
また、長ボルト体２０は、短ボルト体１０の側面と長ボルト体２０の端部にはめられた第２フック２２との間に、Ｌ形構造部材８０の他方の部位８１を配置して、長ボルト体２０にはめられた締め付けナット２４によって、ボルト体１０の貫通穴部１０ａの側から締め付けて、Ｌ形構造部材８０を挟持している。
【００２３】
以上、本発明による電線ガイド金具について説明してきたとおり、(１)長ボルト体が部材挟持部とボルト長手方向に延びる延長部をして有して、その延長部に連結板を配設すること、(２)連結板には長ボルト体に対して角度をつけるための屈折部または湾曲部が設けること、(３)連結板上に配設される電線クランプが移動可能となるように、細長い穴部を連結板上に設けること、(４)連結板を固定する取り付け金具が移動可能なように、細長い穴部を連結板上に設けること、(５)連結板はその中心点に対して点対称な構造に形成されること、という本発明に特有な構成を具備する。
これによって、本発明の電線ガイド金具では、電線を固定(把持)する高さや左右の位置を、広い範囲で自由に設定することができ、電線の引き込みの際のＲ（半径）を大きく取ることが可能で、複数の電線が交差したとしても十分な離隔距離が確保でき、さらに、同じ構成部材からなる電線ガイド金具を用いて、Ｌ形構造部材への異なる取り付け方が可能になるものである。
【図面の簡単な説明】
【００２４】
【図１】本発明による電線ガイド金具の一実施形態を示す構成図である。
【図２】本発明による電線ガイド金具の他の実施形態を示す構成図である。
【図３】電線ガイド金具が設置される鉄塔周りの状況を示す説明図である。
【符号の説明】
【００２５】
ＤＧ１、ＤＧ２    電線ガイド金具
１０    短ボルト体
１０ａ  短ボルト体の貫通穴部
２０    長ボルト体
２０ａ  長ボルト体の部材挟持部
２０ｂ  長ボルト体の延長部
１２    第１フック (短ボルト体側)
２２    第２フック (長ボルト体側)
１４    締め付けナット(短ボルト体側)
２４    締め付けナット(長ボルト体側)
３０    連結板
３０ｃ  連結板の中心点
３１ｂ  連結板上の細長い穴部
３２ａ,３２ｂ    連結板の屈折部(湾曲部)
４０    電線クランプ
５０    連結板の取り付け金具
８０    Ｌ形構造部材
８１    Ｌ形構造部材の片方の部位
８２    Ｌ形構造部材の他の片方の部位
ｄ１    電線
【図１】
2009124790.tif 000003
【図２】
2009124790.tif 000004
【図３】
2009124790.tif 000005